【事件の表示】
　上記当事者間の登録第４３７０４６２号商標の登録取消審判事件について、次のとおり審決する。
【結　論】
　本件審判の請求は、成り立たない。
　審判費用は、請求人の負担とする。
【理　由】
１　本件商標
　本件登録第４３７０４６２号商標（以下「本件商標」という。）は、「ＡＲＴＥ　ＮＵＯＶＡ」及び「アルテヌォーバ」の文字を上下二段に横書きしてなり、平成１１年９月１７日に登録出願、第１９類及び第２０類に属する商標登録原簿記載のとおりの商品を指定商品として平成１２年３月２４日に設定登録されたものである。
　
２　請求人の主張の要点
　請求人は、本件商標の指定商品中第１９類「陶磁製建築専用材料・れんが及び耐火物，リノリューム製建築専用材料，プラスチック製建築専用材料，合成建築専用材料，アスファルト及びアスファルト製の建築用又は構築用の専用材料，ゴム製の建築用又は構築用の専用材料，しっくい，石灰製の建築用又は構築用の専用材料，石こう製の建築用又は構築用の専用材料，セメント及びその製品」の登録を取り消す、審判費用は被請求人の負担とする、との審決を求め、その理由を要旨以下のように述べている。
　本件商標は、その指定商品中第１９類「陶磁製建築専用材料・れんが及び耐火物，リノリューム製建築専用材料，プラスチック製建築専用材料，合成建築専用材料，アスファルト及びアスファルト製の建築用又は構築用の専用材料，ゴム製の建築用又は構築用の専用材料，しっくい，石灰製の建築用又は構築用の専用材料，石こう製の建築用又は構築用の専用材料，セメント及びその製品」について、継続して３年以上日本国内において商標権者によって使用された事実がない。また、専用実施権者又は通常実施権者も存在しない。さらに、上記商品について本件商標が使用されないことについて正当な理由もないと思われる。
　よって、本件商標は、商標法第５０条第１項の規定に基づき、その指定商品中上記商品についての登録を取り消すべきものである。
　
３　被請求人の答弁の要点
　被請求人は、結論同旨の審決を求め、その理由を要旨以下のように述べ、証拠方法として乙第１号証ないし乙第６号証（枝番号を含む。）を提出している。
（１）本件商標は、本件審判の請求の登録前３年以内に日本国内において、商標権者である井口健二から使用許諾を受けている、栃木県那須郡那須町大字寄居４０６在の株式会社白井石材（以下「白井石材」という。）及び福島県東白川郡棚倉町大字逆川字南原１−６在の有限会社サンビルト（以下「サンビルト」という。）によって、本件審判の請求に係る指定商品中の「セメント及びその製品、れんが」等について使用されている。
（２）以下に本件商標の使用事実を乙第１号証ないし乙第６号証をもって立証する。
（ア）本件商標権者である井口健二が代表取締役である株式会社井口石材（以下「井口石材」という。）他９社は、独自に開発した彫刻技法の普及活動並びに当該技法により彫刻を施す基礎材料や当該彫刻を施した墓石、モニュメント、建造物等の製品の名称として「ＡＲＴＥ　ＮＵＯＶＡ／アルテヌォーバ」を使用して普及活動、当該製品の製造、製作、販売を相互協力して行うためにグループを形成し、平成１２年４月１日に業務提携契約を締結している。そして、井口石材他９社が使用することを条件にして、このグループの代表である井口健二が自己名義で本件商標の登録を取得している(乙第１号証)。
　したがって、このグループの一員であるサンビルト及び白井石材は、本件商標の使用をする権利を有する通常使用権者であることは明らかである。
（イ）サンビルトは、本件商標と社会通念上同一の商標「アルテヌォーバ」に係る商品「コンクリートブロック」について、平成１７年８月１０日付けで株式会社サンポウ（以下「サンポウ」という。）に対して見積りを行い(乙第２号証の１)、見積りを受けたサンポウは、サンビルトに対して平成１７年８月１２日付けで発注書(乙第２号証の２)を発行し、サンビルトは、サンポウに対して平成１７年８月３０日付けで納品書(乙第２号証の３)を、そして平成１７年９月５日付けで請求書をそれぞれ発行している(乙第２号証の４)。
　したがって、この事実から、サンビルトが平成１７年８月頃に本件商標と社会通念上同一の商標「アルテヌォーバ」を「コンクリートブロック」に使用していることが明らかである。
（ウ）白井石材は、本件商標と社会通念上同一の商標「アルテヌォーバ」に係る商品「煉瓦ブロック」について、平成１８年４月４日付けで井口石材に対して見積りを行い(乙第３号証の１)、見積りを受けた井口石材は、白井石材に対して平成１８年４月１５日付けで注文書(乙第３号証の２)を発行し、白井石材は、井口石材に対して平成１８年５月１日付けで納品書(乙第３号証の３)を、そして平成１８年５月１５日付けで請求書を発行している(乙第３号証の４)。
　したがって、この事実から、白井石材が平成１８年４月及び５月に本件商標と社会通念上同一の商標「アルテヌォーバ」を「煉瓦ブロック」に使用していることが明らかである。
（エ）白井石材は、本件商標と社会通念上同一の商標「アルテヌォーバ」に係る商品「大理石平板」について、平成１８年２月３日付けで株式会社はぎの家石材店（以下「はぎの家」という。）に対して見積りを行い(乙第４号証の１)、見積りを受けたはぎの家は、白井石材に対して平成１８年２月８日付けで発注書(乙第４号証の２)を発行し、白井石材は、はぎの家に対して平成１８年２月１５日付けで納品書(乙第４号証の３)を、そして平成１８年３月１日付けで請求書を発行している(乙第４号証の４)。
　したがって、この事実から、白井石材が平成１８年２月頃に本件商標と社会通念上同一の商標「アルテヌォーバ」を「大理石平板」に使用していることが明らかである。
（オ）「アルテヌォーバ」のパンフレット(乙第５号証)には、「煉瓦ブロック(アルテヌォーバ煉瓦ブロック)、大理石(アルテヌォーバ大理石平板)、コンクリートブロック(アルテヌォーバコンクリートブロック)他、ガラスやプラスチック等様々な素材に彫刻が可能です。」と記載されており、本件商標と社会通念上同一の商標「アルテヌオーバ」が「煉瓦ブロック、大理石平板、コンクリートブロック」に使用されていることが明らかである。
（カ）乙第６号証は、本件商標と社会通念上同一の商標「アルテヌォーバ」を指定商品である「コンクリートブロック」に付してある写真の写しであるが、ここに示されるように「アルテヌォーバ」を表示したシールを「コンクリートブロック」等に貼付して使用している事実がある。
（３）上記したところにより、本件商標の使用をする権利を有するサンビルト及び白井石材は、本件商標と社会通念上同一の商標「アルテヌォーバ」を本件審判の請求の登録前３年以内である平成１７年及び平成１８年に、日本国内において、指定商品第１９類中「れんが、セメント及びその製品」に使用している。
（４）結語
　以上のとおり、本件商標は、本件商標の使用をする権利を有する者によって、本件審判の請求の登録前３年以内に、日本国内において、請求に係る指定商品中第１９類「れんが、セメント及びその製品」について使用されている。
　よって、本件審判の請求は成り立たない。
　
４　当審の判断
　被請求人の提出に係る乙第１号証ないし乙第６号証（枝番号を含む。）によれば、本件商標は、本件審判の請求の登録前３年以内に日本国内において、通常使用権者によって、請求に係る指定商品中の「れんが、セメント及びその製品」について使用されていたものと認められる。
　一方、請求人は上記３の答弁に対し、何ら弁駁していない。
　したがって、本件商標の指定商品中の請求に係る商品についての登録は、商標法第５０条第１項の規定により、取り消すべき限りでない。
　よって、結論のとおり審決する。